(57)【要約】【課題】簡単な構造で刷毛の先端を収束させることができ、ブラシの先端に毛染め剤を十分に保持し、毛染め剤の不足による染め残しを防止する毛染め用具を提供すること。【解決手段】把持部５先端の一方の側部にブラシ部本体３が設けられた毛染め用具であって、ブラシ部本体３は、左右両側に植設された第１櫛歯３１１及びこの左右両側の第１櫛歯３１１の間に設けられた被装着部３３を備えるベース部３１と、複数の刷毛３２１及びこの複数の刷毛３２１を植設するための基盤で形成されたブラシ部材３２とを有して構成され、ブラシ部材３２が被装着部３３に装着された際に基盤３２２が変形することで前記複数の刷毛３２１の先端部が収束する状態に設定される構成とする。 【選択図】図１
2019176945.tif 000002
【特許請求の範囲】
【請求項１】
把持部（５）先端の一方の側部にブラシ部本体（３）が設けられた毛染め用具であって、
前記ブラシ部本体（３）は、左右両側に植設された第１櫛歯（３１１）及び該左右両側の第１櫛歯（３１１）の間に設けられた被装着部（３３）を備えるベース部（３１）と、
複数の刷毛（３２１）及び該複数の刷毛（３２１）を植設するための基盤（３２２）で形成されたブラシ部材（３２）とを有して構成され、
前記ブラシ部材（３２）が前記被装着部（３３）に装着された際に前記基盤（３２２）が変形することで前記複数の刷毛（３２１）の先端部が収束する状態に設定されていることを特徴とする毛染め用具。
【請求項２】
基盤（３２２）は、湾曲状に弾性変形可能に構成されており、断面凹状に変形した状態で被装着部（３３）に装着されていることを特徴とする、請求項１に記載された毛染め用具。
【請求項３】
ブラシ部材（３２）の基盤（３２２）には、前記刷毛（３２１）が幅方向及び軸方向に複数列に渡って植設されていることを特徴とする、請求項２に記載された毛染め用具。
【請求項４】
把持部（５）先端の他方の側部に、第２櫛歯（４）が植設されていることを特徴とする、請求項１から請求項３のいずれか１項に記載された毛染め用具。
【発明の詳細な説明】
【技術分野】
【０００１】
本発明は、毛染め用具に関する。
【背景技術】
【０００２】
毛染め剤を含ませたブラシ部を髪の根元から毛先までゆっくり滑るように移動させることで毛染めを行う毛染め用具は、例えば以下の特許文献１に記載されているように周知である。
特許文献１に記載された毛染め用具は、柄部４の先端に設けられたブラシ台部１の一方の側部に、数本のブラシ毛を密集状態で植設してなる毛束部２１を所定間隔で列設した毛染め剤塗布用のブラシ部２０を備えるというものである。
【先行技術文献】
【特許文献】
【０００３】
【特許文献１】特開２００１−１２０３３８号公報
【発明の概要】
【発明が解決しようとする課題】
【０００４】
しかし、特許文献１に記載の毛染め用具は、ブラシ部の先端に毛染め剤を含ませるというものであるところ、毛先が逆Ｖ字状にカットされており、ブラシ部２０内に保持可能な容量が少ないため、多くの毛染め剤を保持するにはまだまだ不十分であるという問題がある。
【０００５】
本発明は、上記した従来技術における問題点を解消すべく、ブラシの先端に毛染め剤を十分に保持できる毛染め用具を創出することを課題とする。
【課題を解決するための手段】
【０００６】
上記課題を解決するために、本発明の第１の態様に係る毛染め用具は、把持部先端の一方の側部にブラシ部本体が設けられた毛染め用具であって、ブラシ部本体は、左右両側に植設された第１櫛歯及び左右両側の第１櫛歯の間に設けられた被装着部を備えるベース部と、複数の刷毛及びこの複数の刷毛を植設するための基盤で形成されたブラシ部材とを有して構成され、ブラシ部材が被装着部に装着された際に基盤が変形することで複数の刷毛の先端部が収束する状態に設定されていることを特徴とする。
【０００７】
本態様によれば、ブラシ部材がベース部に装着された際に、刷毛が植設された基盤が変形し刷毛の先端が収束するので、基盤と各刷毛とで囲まれた空間が形成され、この空間内に毛染め剤を保持することができるとともに、髪の毛と毛染め剤が絡みやすくなり毛染め剤の不足による染め残しのない毛染めを行うことができる。
ここで、本明細書における「植設」は、基盤と刷毛とを別々に形成した後に刷毛を基盤に植え付け等の手段により固定することの意味以外に、基盤と刷毛とが同材質または異材質とされた状態で、射出成型やインサート成形等により一体に成形されている意味をも含むものである。
【０００８】
本発明の第２の態様に係る毛染め用具は、第１の態様において、基盤は、湾曲状に弾性変形可能に構成されており、断面凹状に変形した状態で被装着部に装着されていることを特徴とする。
【０００９】
本態様によれば、基盤を、ベース部の被装着部に装着させると、基盤が被装着部の凹形状にそって変形し、基盤に植設されている刷毛も一緒に傾斜するので、刷毛の先端が収束し第１の態様の効果と同様に基盤と各刷毛とで囲まれた空間が形成され、多量の毛染め剤を当該空間に保持することができる。
【００１０】
本発明の第３の態様に係る毛染め用具は、第２の態様において、ブラシ部材の基盤には、前記刷毛が幅方向及び軸方向に複数列に渡って植設されていることを特徴とする。
【００１１】
本態様によれば、第２の態様の効果に加え、基盤に刷毛が幅方向及び軸方向に複数列に渡って植設されているため、ブラシ部材がベース部に装着された際に、列設された刷毛がブラシ部本体及びブラシ部材の中央部に向かって傾斜し、各刷毛の先端密度がより一層高まり基盤と各刷毛とで囲まれた空間に保持された毛染め剤をよりしっかりと保持することが可能となる。
【００１２】
本発明の第４の態様に係る毛染め用具は、第１から第３のいずれか一の態様において、把持部先端の他方の側部に、第２櫛歯が植設されていることを特徴とする。
本態様によれば、第１から第３の態様の効果に加え、櫛部本体は毛染め用ブラシとは別態様である櫛として使用することができるので、髪の毛を染めるだけでなく髪を梳かす櫛としても使用できる。
また、例えば、髪の毛の生え際や部分染め等、ブラシ部材の刷毛の先端が収束する状態とは異なった形態での使用が可能となる。
【発明の効果】
【００１３】
本発明に係る毛染め用具は、簡単な構造で刷毛の先端を収束させることができ、ブラシの先端に毛染め剤を十分に保持できることにより、毛染め剤の不足による染め残しを防止できるという効果を有している。
【図面の簡単な説明】
【００１４】
【図１】本発明に係る毛染め用具の実施形態を示す正面図。
【図２】本発明に係る毛染め用具の実施形態を示す左側面図。
【図３】本発明に係る毛染め用具の実施形態の示す右側面図におけるブラシ部本体の拡大図。
【図４】（ａ）は、本発明に係る毛染め用具のブラシ部本体の分解状態での縦断面図、（ｂ）は、ブラシ部本体の縦断面図。
【発明を実施するための形態】
【００１５】
以下、図面を参照しながら本発明に係る毛染め用具の実施形態について説明するが、本発明は当該実施形態に限定されるものではない。
【００１６】
図１には、本発明に係る毛染め用具１の一実施態様が記載されている。
本態様の毛染め用具１は、先端部がブラシ台２とされた把持部５を有し、ブラシ台２の一方の側部、すなわち把持部５先端の一方の側部（図１において右側）にはブラシ部本体３が設けられ、ブラシ台２の他方の側部、すなわち把持部５先端の他方の側部（図１において左側）には第２櫛歯４がブラシ台２に植設（ブラシ台２と一体成形）されている。
上記構成により、本態様の毛染め用具は、ブラシ部本体３側と第２櫛歯４側とで使用形態が異なる２つの機能を有している。
なお、本明細書において、把持部５が延在する方向（図１における上下方向）を軸方向という。
【００１７】
図２には、第２櫛歯４の状態が示されている。
第２櫛歯４は、ブラシ台２に垂直に植設され（図１参照）所定の間隔をもってブラシ台２の長さ方向に一列に複数植設されている。また、第２櫛歯４と同じ側の側部のより先端側の位置に刷毛部４１が設けられている（図１参照）。
刷毛部４１は傾斜状の台座の先端に、第２櫛歯４と比べて歯の間隔が狭く形成範囲も狭い状態で形成されている。
第２櫛歯４や刷毛部４１を用いることにより、生え際などの細かい部分や部分染めを行うことができる。
【００１８】
なお、第２櫛歯４の植設については、ブラシ台２に対して正確に垂直な状態で植設されていなくてもよく、植設される列は一列に限らない。また、第２櫛歯４の素材は公知なものでよく、例えば合成樹脂等が挙げられる。
【００１９】
図３は、本態様の毛染め用具１の右側面図におけるブラシ部本体３の拡大図、図４（ａ）はブラシ部材３２がベース部３１に装着される前の状態を示す断面図、図４（ｂ）は装着後の状態を示す断面図である。
本態様におけるブラシ部本体３は、ベース部３１と、このベース部３１内に装着されるブラシ部材３２とを有して構成されている。ベース部３１とブラシ部材３２の構成について図３の平面図を用いて説明する。
ベース部３１は、ブラシ台２の一方の側部に一体に形成された平面視略長方形状の部位であり、その中央には断面凹状からなる被装着部３３が形成されている（図４参照）。またベース部３１の周囲には被装着部３３を取り囲むように配置された第１櫛歯３１１が植設されている。
【００２０】
ここで、図３において、ブラシ部材３２より上部にあるベース部３１に植設された第１櫛歯３１１ａ及び下部にある第１櫛歯３１１ｂはかならずしも必要ではなく、少なくとも第１櫛歯３１１はブラシ部材３２の側方側（左右）に植設されている状態であればよい。
すなわち、ベース部３１の左右両側に第１櫛歯３１１が植設されていればよい。
【００２１】
本態様では、第１櫛歯３１１がブラシ部材３２の外側（左右）に一列ずつベース部３１の長手方向に間隔をあけて植設されているが、一列ずつに限られず、第１櫛歯３１１を複数列設してもかまわない。また、第１櫛歯３１１は１本のピンで形成されていてもよいし、多数本密接状態にしてまとめて植設したものであっても良い。
【００２２】
そして、第１櫛歯３１１の素材は前述した第２櫛歯４の素材と同一のものであっても良いし、第２櫛歯４より柔らかいものであっても良い。例えば、弾性を有する合成樹脂等が挙げられる。
また、第１櫛歯３１１はその一部又は全部をベース部３１と一体に成形される構成であってもよく、第１櫛歯３１１の全部がベース部３１とは別体で形成される構成であってもよい。
【００２３】
ブラシ部材３２は、複数の刷毛３２１及び該複数の刷毛３２１を植設するための基盤３２２を有して形成されている。
前記基盤３２２は、水平面として形成されており、前記複数の刷毛３２１が垂直となるように植設されている。なお、前記基盤３２２は、水平面に限らず、上方または下方に凸の曲面等に形成してもよい。
本態様では、刷毛３２１はブラシ部材３２の上面における軸方向（図３における上下方向を意味し、長手方向とも表す）に間隔をあけて基盤３２２に列をなすように植設され、前記列が軸方向に直交する幅方向（短手方向）に三列（左側の列、中央の列、右側の列）になるように設けられている。しかし、三列でなくてもよく適宜変更は可能である。また、刷毛３２１は１本でもよいし、多数本密接状態にしてまとめて植設したものであっても良い。
刷毛３２１の素材については、従来より公知の素材が使用でき、合成樹脂や獣毛等が用いられる。また、刷毛３２１の長さや太さを、個別や列単位で異ならせてもよい。
【００２４】
基盤３２２の素材については、ブラシ部本体３に装着される際に弾性変形可能であればよくシリコンゴム、天然ゴム、ポリエチレン等の合成樹脂が用いられる。また、ある程度剛性を有する材質であっても、弾性変形可能な程度の肉厚（薄肉）に加工して用いてもよい。
【００２５】
次に図４の断面図を用いて、ブラシ部本体３を構成するベース部３１とブラシ部材３２について詳説する。
図４（ａ）において、ブラシ部材３２は、刷毛３２１と刷毛３２１を植設するための基盤３２２で形成されており、基盤３２２の下面中央部分には、ベース部３１に装着するための装着凸部３２３が設けられている。
ここで、ブラシ部材３２において、実際にベース部３１に装着される部分、すなわち装着部３４は、基盤３２２、装着凸部３２３及び装着凸部３２３において凹形状を形成している嵌合凹部３２４を有して構成される。
【００２６】
一方、ベース部３１は、ブラシ部材３２を装着するための被装着凹部３１３を中央に設けた内周壁３１２を有している。そして、内周壁３１２はブラシ部本体３の中央部（被装着凹部）に向かって曲面状または直線状に傾斜しており、上面側から下面側に向けて凸となる凹状をなしている。
尚、本態様では、後述するように被装着部３３を構成する内周壁３１２は、ベース部３１の長手方向と交差する方向（短手方向）に凹状をなしているため、この内周壁３１２内に装着される基盤３２２は短手方向のみにおいて凹状に変形し、長手方向においては変形しない構成であるが、長手方向のみにおいて、又は長手方向と短手方向の両方において凹状に変形する構成にしてもよい。
ここで、ベース部３１において、実際にブラシ部材３２の装着部３４が装着される部分、すなわち被装着部３３は、内周壁３１２、被装着凹部３１３及び被装着凹部３１３において凸形状を形成している嵌合突起３１４とで構成される。
【００２７】
次に、ブラシ部材３２をベース部３１に装着する方法について説明する。
図４（ａ）に示したように、ブラシ部材３２の基盤３２２の下面に設けられた装着凸部３２３において凹形状を形成している嵌合凹部３２４の部分を、ベース部３１の被装着凹部３１３において凸形状を形成している嵌合突起３１４の部分に嵌合させる。
【００２８】
嵌合凹部３２４と嵌合突起３１４が嵌合すると、図４（ｂ）に示したようにブラシ部材３２の基盤３２２は、ベース部３１の内周壁３１２における断面凹状の湾曲面に沿って変形し、植設されている刷毛３２１は、中央の列に植設されている刷毛３２１は垂直状態のままで、その両側すなわち左右の列に植設されている刷毛３２１が、中央の列に植設されている刷毛３２１の方へ向かって傾き、刷毛３２１の先端が収束する状態になる。刷毛３２１の先端が収束しているため、広い範囲だけでなく、狭い範囲や細部への塗布も容易となる。
【００２９】
この状態になると、基盤３２２と各列の刷毛３２１とで囲まれる空間Ｓが形成される。空間Ｓが形成されることにより当該空間に毛染め剤を保持することが可能となり、通常の毛染め用具より多くの毛染め剤を保持できるので、毛染め剤の不足による染め残しを防止することができる。
また、ベース部３１に第１櫛歯３１１が設けられていることにより、確実に髪を梳くことができ、空間Ｓに保持された毛染め剤を均等に塗布することができる。
【００３０】
更に、空間Ｓに保持された毛染め剤は、刷毛３２１の先端が収束していることから髪の毛と絡みやすくなるとともに、一種のチューブの中に入れられたような状態にあり、本態様では、毛染め用具１を髪の毛に軽く押し当てれば少量の毛染め剤が空間Ｓから供給され、逆に毛染め用具１を髪の毛に強く押し当てれば多量の毛染め剤が空間Ｓから供給されるような構造となっており、使用箇所や使用方法により毛染め剤の量を調整することができるという効果を有している。また本態様では、基盤３２２と刷毛３２１とを一体成形する場合であっても、別体で形成後に組み合わせる場合であっても、後工程（ブラシ部材３２のベース部３１への装着）で刷毛３２１の先端を収束させるため、ブラシ部材３２の製造が容易となる。
【産業上の利用可能性】
【００３１】
本発明に係る毛染め用具は、ブラシの先端に毛染め剤を十分に保持できることにより、毛染め剤の不足による染め残しを防止するとともに、毛染め剤と髪の毛を絡みやすくすることができるという効果を有している。そのため、新たな毛染め用具の分野に用途展開が可能である。
【符号の説明】
【００３２】
１    ：毛染め用具
２    ：ブラシ台
３    ：ブラシ部本体
４    ：第２櫛歯
５    ：把持部
３１  ：ベース部
３２  ：ブラシ部材
３３  ：被装着部
３４  ：装着部
４１  ：刷毛部
３１１：第１櫛歯
３１２：ブラシ部本体の内周壁（被装着部）
３１３：被装着凹部（被装着部）
３１４：嵌合突起（被装着部）
３２１：刷毛
３２２：基盤（装着部）
３２３：装着凸部（装着部）
３２４：嵌合凹部（装着部）
【図１】
2019176945.tif 000003
【図２】
2019176945.tif 000004
【図３】
2019176945.tif 000005
【図４】
2019176945.tif 000006